【手続補正書】
【提出日】平成26年1月24日(2014.1.24)
【手続補正１】
【補正対象書類名】特許請求の範囲
【補正対象項目名】全文
【補正方法】変更
【補正の内容】
【特許請求の範囲】
【請求項１】
所定サイズのバッファーを有する揮発性メモリと、書き込み可能な不揮発性メモリと、処理装置とを備えたメール端末装置において、
前記処理装置は、
メッセージのデータを固定長ずつ受信して前記バッファーに格納する受信ステップと、
前記バッファーに格納されたデータを前記不揮発性メモリ上のファイルに逐次格納する第１の格納ステップと、
を繰り返してメッセージを取得することを特徴とするメール端末装置。
【請求項２】
前記処理装置は、受信するメッセージのサイズが所定値以下の場合には、
前記受信ステップと、
前記バッファーに格納されたデータを前記揮発性メモリ上のオブジェクトに逐次格納する第２の格納ステップと、
を繰り返してメッセージを取得することを特徴とする請求項１に記載のメール端末装置。
【請求項３】
所定サイズのバッファーを有する揮発性メモリと、書き込み可能な不揮発性メモリと、処理装置とを備えたメール端末装置において、
前記処理装置は、
作成したメッセージのデータを前記不揮発性メモリ上のファイルに格納する格納ステップと、
前記不揮発性メモリ上のファイルからデータを固定長ずつ読み出して前記バッファーに格納し、当該バッファーに格納されたデータを逐次送信する第１の送信ステップと、
を繰り返してメッセージを送信することを特徴とするメール端末装置。
【請求項４】
前記処理装置は、作成したメッセージのサイズが所定値以下の場合には、
メッセージのデータを前記揮発性メモリ上に保持する保持ステップと、
前記揮発性メモリ上に保持されたデータを固定長ずつ前記バッファーに格納し、当該バッファーに格納されたデータを逐次送信する第２の送信ステップと、
を繰り返してメッセージを送信することを特徴とする請求項３に記載のメール端末装置。
【請求項５】
所定サイズのバッファーを有する揮発性メモリと、書き込み可能な不揮発性メモリと、処理装置とを備えたメール端末装置でメッセージを取得する方法において、
前記処理装置が、
メッセージのデータを固定長ずつ受信して前記バッファーに格納する受信ステップと、
前記バッファーに格納されたデータを前記不揮発性メモリ上のファイルに逐次格納する第１の格納ステップと、
を繰り返してメッセージを取得することを特徴とするメッセージ取得方法。
【請求項６】
受信するメッセージのサイズが所定値以下の場合には、前記処理装置が、
前記受信ステップと、
前記バッファーに格納されたデータを前記揮発性メモリ上のオブジェクトに逐次格納する第２の格納ステップと、
を繰り返してメッセージを取得することを特徴とする請求項５に記載のメッセージ取得方法。
【請求項７】
所定サイズのバッファーを有する揮発性メモリと、書き込み可能な不揮発性メモリと、処理装置とを備えたメール端末装置でメッセージを送信する方法において、
前記処理装置が、
作成したメッセージのデータを前記不揮発性メモリ上のファイルに格納する格納ステップと、
前記不揮発性メモリ上のファイルからデータを固定長ずつ読み出して前記バッファーに格納し、当該バッファーに格納されたデータを逐次送信する第１の送信ステップと、
を繰り返してメッセージを送信することを特徴とするメッセージ送信方法。
【請求項８】
作成したメッセージのサイズが所定値以下の場合には、前記処理装置が、
メッセージのデータを前記揮発性メモリ上に保持する保持ステップと、
前記揮発性メモリ上に保持されたデータを固定長ずつ前記バッファーに格納し、当該バッファーに格納されたデータを逐次送信する第２の送信ステップと、
を繰り返してメッセージを送信することを特徴とする請求項７に記載のメッセージ送信方法。
【請求項９】
所定サイズのバッファーを有する揮発性メモリと、書き込み可能な不揮発性メモリと、処理装置とを備えたメール端末装置で実行されるメールクライアントプログラムにおいて、
前記処理装置に、
メッセージのデータを固定長ずつ受信して前記バッファーに格納する受信ステップと、
前記バッファーに格納されたデータを前記不揮発性メモリ上のファイルに逐次格納する第１の格納ステップと、
を繰り返し実行させてメッセージを取得する処理を実現させることを特徴とするメールクライアントプログラム。
【請求項１０】
受信するメッセージのサイズが所定値以下の場合には、前記処理装置に、
前記受信ステップと、
前記バッファーに格納されたデータを前記揮発性メモリ上のオブジェクトに逐次格納する第２の格納ステップと、
を繰り返し実行させてメッセージを取得する処理を実現させることを特徴とする請求項９に記載のメールクライアントプログラム。
【請求項１１】
所定サイズのバッファーを有する揮発性メモリと、書き込み可能な不揮発性メモリと、処理装置とを備えたメール端末装置で実行されるメールクライアントプログラムにおいて、
前記処理装置に、
作成したメッセージのデータを前記不揮発性メモリ上のファイルに格納する格納ステップと、
前記不揮発性メモリ上のファイルからデータを固定長ずつ読み出して前記バッファーに格納し、当該バッファーに格納されたデータを逐次送信する第１の送信ステップと、
を繰り返し実行させてメッセージを送信する処理を実現させることを特徴とするメールクライアントプログラム。
【請求項１２】
作成したメッセージのサイズが所定値以下の場合には、前記処理装置に、
メッセージのデータを前記揮発性メモリ上に保持する保持ステップと、
前記揮発性メモリ上に保持されたデータを固定長ずつ前記バッファーに格納し、当該バッファーに格納されたデータを逐次送信する第２の送信ステップと、
を繰り返し実行させてメッセージを送信する処理を実現させることを特徴とする請求項１１に記載のメールクライアントプログラム。
【手続補正２】
【補正対象書類名】明細書
【補正対象項目名】０００９
【補正方法】変更
【補正の内容】
【０００９】
上記課題を解決するために、本発明の第１の観点は、所定サイズのバッファーを有する揮発性メモリと、書き込み可能な不揮発性メモリと、処理装置とを備えたメール端末装置であって、処理装置は、メッセージのデータを固定長ずつ受信してバッファーに格納する受信ステップと、バッファーに格納されたデータを不揮発性メモリ上のファイルに逐次格納する第１の格納ステップと、を繰り返してメッセージを取得することを特徴とする。
【手続補正３】
【補正対象書類名】明細書
【補正対象項目名】００１０
【補正方法】変更
【補正の内容】
【００１０】
このメール端末装置の構成において、処理装置は、受信するメッセージのサイズが所定値以下の場合には、受信ステップと、バッファーに格納されたデータを揮発性メモリ上のオブジェクトに逐次格納する第２の格納ステップと、を繰り返してメッセージを取得することが望ましい。
【手続補正４】
【補正対象書類名】明細書
【補正対象項目名】００１１
【補正方法】変更
【補正の内容】
【００１１】
また、本発明の第２の観点は、所定サイズのバッファーを有する揮発性メモリと、書き込み可能な不揮発性メモリと、処理装置とを備えたメール端末装置であって、この処理装置は、作成したメッセージのデータを不揮発性メモリ上のファイルに格納する格納ステップと、この不揮発性メモリ上のファイルからデータを固定長ずつ読み出してバッファーに格納し、当該バッファーに格納されたデータを逐次送信する第１の送信ステップと、を繰り返してメッセージを送信する。
【手続補正５】
【補正対象書類名】明細書
【補正対象項目名】００１２
【補正方法】変更
【補正の内容】
【００１２】
このメール端末装置の構成において、処理装置は、作成したメッセージのサイズが所定値以下の場合には、メッセージのデータを揮発性メモリ上に保持する保持ステップと、この揮発性メモリ上に保持されたデータを固定長ずつバッファーに格納し、当該バッファーに格納されたデータを逐次送信する第２の送信ステップと、を繰り返してメッセージを送信することが望ましい。
【手続補正６】
【補正対象書類名】明細書
【補正対象項目名】００１３
【補正方法】変更
【補正の内容】
【００１３】
さらに、本発明の第３の観点は、所定サイズのバッファーを有する揮発性メモリと、書き込み可能な不揮発性メモリと、処理装置とを備えたメール端末装置でメッセージを取得する方法である。この方法において、処理装置は、メッセージのデータを固定長ずつ受信してバッファーに格納する受信ステップと、このバッファーに格納されたデータを不揮発性メモリ上のファイルに逐次格納する第１の格納ステップと、を繰り返してメッセージを取得する。
【手続補正７】
【補正対象書類名】明細書
【補正対象項目名】００１４
【補正方法】変更
【補正の内容】
【００１４】
上記方法においても、受信するメッセージのサイズが所定値以下の場合には、処理装置は、受信ステップと、バッファーに格納されたデータを揮発性メモリ上のオブジェクトに逐次格納する第２の格納ステップと、を繰り返してメッセージを取得することが望ましい。
【手続補正８】
【補正対象書類名】明細書
【補正対象項目名】００１５
【補正方法】変更
【補正の内容】
【００１５】
さらにまた、本発明の第４の観点は、所定サイズのバッファーを有する揮発性メモリと、書き込み可能な不揮発性メモリと、処理装置とを備えたメール端末装置でメッセージを送信する方法であり、処理装置は、作成したメッセージのデータを不揮発性メモリ上のファイルに格納する格納ステップと、この不揮発性メモリ上のファイルからデータを固定長ずつ読み出してバッファーに格納し、当該バッファーに格納されたデータを逐次送信する第１の送信ステップと、を繰り返してメッセージを送信する。
【手続補正９】
【補正対象書類名】明細書
【補正対象項目名】００１６
【補正方法】変更
【補正の内容】
【００１６】
上記方法においても、作成したメッセージのサイズが所定値以下の場合には、処理装置は、メッセージのデータを揮発性メモリ上に保持する保持ステップと、この揮発性メモリ上に保持されたデータを固定長ずつバッファーに格納し、当該バッファーに格納されたデータを逐次送信する第２の送信ステップと、を繰り返してメッセージを送信することが望ましい。
【手続補正１０】
【補正対象書類名】明細書
【補正対象項目名】００１７
【補正方法】変更
【補正の内容】
【００１７】
さらにまた、本発明の第５の観点は、所定サイズのバッファーを有する揮発性メモリと、書き込み可能な不揮発性メモリと、処理装置とを備えたメール端末装置で実行されるメールクライアントプログラムである。このメールクライアントプログラムにおいて、処理装置に、メッセージのデータを固定長ずつ受信してバッファーに格納する受信ステップと、このバッファーに格納されたデータを不揮発性メモリ上のファイルに逐次格納する第１の格納ステップと、を繰り返し実行させてメッセージを取得する処理を実現させている。
【手続補正１１】
【補正対象書類名】明細書
【補正対象項目名】００１８
【補正方法】変更
【補正の内容】
【００１８】
上述のメールクライアントプログラムにおいても、受信するメッセージのサイズが所定値以下の場合には、処理装置に、受信ステップと、バッファーに格納されたデータを揮発性メモリ上のオブジェクトに逐次格納する第２の格納ステップと、を繰り返し実行させることが望ましい。
【手続補正１２】
【補正対象書類名】明細書
【補正対象項目名】００１９
【補正方法】変更
【補正の内容】
【００１９】
さらにまた、本発明の第６の観点においては、所定サイズのバッファーを有する揮発性メモリと、書き込み可能な不揮発性メモリと、処理装置とを備えたメール端末装置で実行されるメールクライアントプログラムであり、このメールクライアントプログラムは、処理装置に、作成したメッセージのデータを不揮発性メモリ上のファイルに格納する格納ステップと、この不揮発性メモリ上のファイルからデータを固定長ずつ読み出してバッファーに格納し、当該バッファーに格納されたデータを逐次送信する第１の送信ステップと、を繰り返し実行させてメッセージを送信する処理を実現させている。
【手続補正１３】
【補正対象書類名】明細書
【補正対象項目名】００２０
【補正方法】変更
【補正の内容】
【００２０】
上記メールクライアントプログラムにおいても、作成したメッセージのサイズが所定値以下の場合には、処理装置に、メッセージのデータを揮発性メモリ上に保持する保持ステップと、この揮発性メモリ上に保持されたデータを固定長ずつバッファーに格納し、当該バッファーに格納されたデータを逐次送信する第２の送信ステップと、を繰り返し実行させるようにすることが望ましい。